(57)【要約】【課題】計測作業の簡易化を図るとともに計測精度の向上を図ること。【解決手段】測量補助装置１００は、測量用ポールＰの先端に対して取り外し可能に取り付けられる取付基台部１１０と、取付基台部１１０に設けられてメジャーの測定起点部を取り外し可能に支持するメジャー支持部１２０と、を備え、取付基台部１１０は、測量に際して、メジャー支持部１２０によってメジャーの測定起点部を支持した状態で測量用ポールＰに取り付けられることを特徴とする。【選択図】図５
2010043986.tif 000002
【特許請求の範囲】
【請求項１】
測量用ポールの先端に対して取り外し可能に取り付けられる取付基台部と、
前記取付基台部に設けられてメジャーの測定起点部を取り外し可能に支持するメジャー支持部と、
を備え、
前記取付基台部は、測量に際して、前記メジャー支持部によって前記メジャーの測定起点部を支持した状態で前記測量用ポールに取り付けられることを特徴とする測量補助装置。
【請求項２】
前記取付基台部は、前記測量用ポールの先端に被せることが可能なキャップ形状からなることを特徴とする請求項１に記載の測量補助装置。
【請求項３】
前記メジャー支持部は、針金の両端部を前記取付基台部に固定した形状からなることを特徴とする請求項１または２に記載の測量補助装置。
【請求項４】
前記メジャー支持部は、前記取付基台部から突出する突起形状からなり、前記メジャーに設けられた起点部固定用の孔に挿入されることによって前記測定起点部を支持することを特徴とする請求項１または２に記載の測量補助装置。
【請求項５】
地表上の任意の測量起点位置および測量終点位置間の水平方向における距離を測定する測量方法であって、
前記測量起点位置および前記測量終点位置に測量用ポールを立てる工程と、
前記測量起点位置に立てられた前記測量用ポールの先端に請求項１〜４のいずれか一つに記載の測量補助装置を取り付ける工程と、
前記測量補助装置が備えたメジャー支持部に、メジャーの測定起点部を固定する工程と、
を含み、
固定された前記測定起点部から前記測量終点位置に立てられた測量用ポールに向かって固定された前記測定起点部に対して水平にメジャーを引くとともに当該メジャーと前記測量終点位置に立てられた測量用ポールとの交差位置における前記メジャーの目盛り値を前記距離とすることを特徴とする測量方法。
【発明の詳細な説明】
【技術分野】
【０００１】
この発明は、地表上の任意の２点間の距離の測量に際して用いられる測量補助装置および当該測量補助装置を用いた測量方法に関する。
【背景技術】
【０００２】
従来、送電鉄塔や水力発電所などの電力設備が建設される用地などの管理を目的として、用地の境界杭などの位置確認や位置確認後の境界杭間の距離の測定などの実地調査による現物確認を定期的におこなっている。電力設備は、山林を造成した用地に建設されている場合が多く、斜面地を含んだ用地に建設されていることが多い。用地の管理に用いる管理図面、地積測量図、公図などに表記する距離は水平距離とするため、斜面地の水平距離を計測する必要がある。
【０００３】
斜面地の実地調査に際しては、測量用ポールとメジャーとを用いて、境界位置に設置された２つの境界杭間の水平距離を計測している。境界杭と境界杭との水平距離の計測は、具体的には、たとえば、一方の境界杭に設置した測量用ポールにメジャーの測定起点部を固定して、一方の境界杭に設置した測量用ポールの位置におけるメジャーの目盛りが０（ゼロ）になるようにする。
【０００４】
メジャーの測定起点部は、測量用ポールの位置においてメジャーを手で押さえることによって固定する。このため、メジャーの測定起点部を固定する高さは、測量作業をおこなう作業者の体型などによって異なるが、おおよそ地上から１．５ｍ程度の高さとされる。つぎに、メジャーの測定起点部からもう一方の境界杭に向かって水平にメジャーを引き、目視によってもう一方の境界杭の真上に位置するメジャーの目盛りを読み取り、読み取った値を２つの境界杭間の水平距離として計測する。また、従来、専用の測量装置を用いて２点間の距離を測定する技術があった（たとえば、下記特許文献１を参照。）。
【０００５】
【特許文献１】特開２００６−１１２８５４号公報
【発明の開示】
【発明が解決しようとする課題】
【０００６】
しかしながら、上述した従来の技術では、メジャーを手で押さえることによってメジャーの測定起点部を固定することから、メジャーの測定起点部を固定する高さは地上から１．５ｍ程度が限界であり、２つの境界杭間の高低差が１．５ｍを超えるような斜面地では、計測作業が煩雑化するという問題があった。
【０００７】
すなわち、高低差が１．５ｍを超える２つの境界杭間の距離を測量する場合、具体的には、たとえば、２つの境界杭間を高低差が１．５ｍを超えない複数の範囲に分割し、分割した各位置に測量用ポールを設置する。そして、各測量用ポール間の距離を測定した後、すべての測量用ポール間の距離を合計することで境界杭間の距離を算出する。これによって、複数回の計測作業をおこなうこととなり、計測作業が煩雑化するという問題があった。
【０００８】
また、上述した技術では、メジャーを手で押さえることによってメジャーの測定起点部を固定することから、計測に際してメジャーを引くことによってメジャーを押さえた位置がずれやすく、ずれた状態でメジャーの目盛りを読み取ることによって計測精度に誤差が生じやすくなるという問題があった。さらに、高低差が１．５ｍを超える２つの境界杭間の距離を測量する場合は、メジャーを押さえた位置がずれた状態で計測した値を合計するために計測精度の誤差が累積され、計測精度の信頼性が低下するという問題があった。さらに、上述した特許文献１の技術では、専用の装置が必要であるため測定作業が繁雑になるとともに、測定に用いる装置の運搬などに大きな労力を要するという問題があった。
【０００９】
この発明は、上述した従来技術による問題点を解消するため、計測作業の簡易化を図るとともに計測精度の向上を図ることができる測量補助装置および測量方法を提供することを目的とする。
【課題を解決するための手段】
【００１０】
上述した課題を解決し、目的を達成するため、この発明にかかる測量補助装置は、測量用ポールの先端に対して取り外し可能に取り付けられる取付基台部と、前記取付基台部に設けられてメジャーの測定起点部を取り外し可能に支持するメジャー支持部と、を備え、前記取付基台部は、測量に際して、前記メジャー支持部によって前記メジャーの測定起点部を支持した状態で前記測量用ポールに取り付けられることを特徴とする。
【００１１】
この発明によれば、測量作業者がメジャーを手で押さえることなく測量起点位置においてメジャーの測定起点部を容易かつ確実に固定することができる。また、この発明によれば、メジャーを手で押さえることなくメジャーの測定起点部を固定することができるので、メジャーを手で押さえる場合よりも高い位置でメジャーを固定することができる。
【００１２】
また、この発明にかかる測量補助装置は、上記の発明において、前記取付基台部が、前記測量用ポールの先端に被せることが可能なキャップ形状からなることを特徴とする。この発明によれば、測量用ポールに対する測量補助装置の取り付けや取り外しを容易化することができる。
【００１３】
また、この発明にかかる測量補助装置は、上記の発明において、前記メジャー支持部が、針金の両端部を前記取付基台部に固定した形状からなることを特徴とする。この発明によれば、メジャー支持部を簡易な構成によって実現することができる。
【００１４】
また、この発明にかかる測量補助装置は、上記の発明において、前記メジャー支持部が、前記取付基台部から突出する突起形状からなり、前記メジャーに設けられた起点部固定用の孔に挿入されることによって前記測定起点部を支持することを特徴とする。この発明によれば、メジャーが備えた形状を利用してメジャーの測定起点部を固定するとともに、メジャー支持部を簡易な構成によって実現することができる。
【００１５】
また、この発明にかかる測量方法は、地表上の任意の測量起点位置および測量終点位置間の水平方向における距離を測定する測量方法であって、前記測量起点位置および前記測量終点位置に測量用ポールを立てる工程と、前記測量起点位置に立てられた前記測量用ポールの先端に上記の測量補助装置を取り付ける工程と、前記測量補助装置が備えたメジャー支持部に、メジャーの測定起点部を固定する工程と、を含み、固定された前記測定起点部から前記測量終点位置に立てられた測量用ポールに向かって固定された前記測定起点部に対して水平にメジャーを引くとともに当該メジャーと前記測量終点位置に立てられた測量用ポールとの交差位置における前記メジャーの目盛り値を前記距離とすることを特徴とする。
【００１６】
この発明によれば、測量作業者がメジャーを手で押さえることなく測量起点位置においてメジャーの測定起点部を容易かつ確実に固定することができる。また、この発明によれば、メジャーを手で押さえることなくメジャーの測定起点部を固定することができるので、メジャーを手で押さえる場合よりも高い位置でメジャーを固定することができる。
【発明の効果】
【００１７】
この発明にかかる測量補助装置および測量方法によれば、測量起点位置においてメジャーの測定起点部を容易かつ確実に固定することができるとともに、メジャーを手で押さえる場合よりも高い位置でメジャーを固定することができるので、計測に際しての測量作業者の負担を軽減するとともに、メジャーの測定起点部のずれおよび計測回数の低減を図ることができる。これによって、計測作業の簡易化を図るとともに計測精度の向上を図ることができるという効果を奏する。
【発明を実施するための最良の形態】
【００１８】
以下に添付図面を参照して、この発明にかかる測量補助装置の好適な実施の形態を詳細に説明する。
【００１９】
図１はこの発明にかかる実施の形態の測量補助装置の外観を示す説明図であり、図２は図１の測量補助装置のＡ−Ａ断面図である。図１および図２において、この発明にかかる実施の形態の測量補助装置１００は、取付基台部１１０とメジャー支持部１２０とを備えている。
【００２０】
取付基台部１１０は、測量用ポール（図４における符号Ｐを参照）の先端に対して取り外し可能に取り付けられる。測量補助装置１００の使用対象とする測量用ポールは、材料を問わず公知の各種の材料によって製造されたものを用いることができ、具体的には、たとえばアルミ製や木製などの測量用ポールを用いることができる。
【００２１】
取付基台部１１０は、略円筒形状からなるキャップ部２０１と、メジャー支持部１２０が設けられた支持部２０２と、を備えている。キャップ部２０１は、軸心方向の一端側に設けられて、外部に向けて開口する開口２０３を備えている。キャップ部２０１の軸心方向の他端側は、支持部２０２によって塞がれている。これにより、取付基台部１１０は、測量用ポールの先端に被せることが可能なキャップ形状とされている。キャップ部２０１の他端側は、外部に向けて開口していてもよい。すなわち、取付基台部１１０全体が略円筒形状からなるものであってもよい。
【００２２】
メジャー支持部１２０は、取付基台部１１０に設けられてメジャーの測定起点部を取り外し可能に支持する。メジャー支持部１２０は、支持部２０２に設けられた一対の穴部２０４と、両端部が穴部２０４に挿入された針金１２１と、によって構成されている。穴部２０４は、支持部２０２に穴を開け、穴の内側において支持部２０２の材質が露出した状態とされている。また、穴部２０４は、支持部２０２に開けた穴に針金１２１の径と同等あるいは若干径の大きい筒を嵌めこみ、穴の内面が筒で覆われた状態としてもよい。
【００２３】
針金１２１は、両端部をそれぞれの穴部２０４に挿入することによって、支持部２０２に固定されている。針金１２１の中央部は、支持部２０２の外形に沿って屈曲した形状とされている。この実施の形態において、針金１２１は、取付基台部１１０の外周面と穴部２０４との境界位置において屈曲されている。
【００２４】
図３は、メジャーの一例を示す説明図である。図３において、メジャー３００は、長尺状のテープ３０１と、テープ３０１を巻回状態で保持する本体部３０２と、を備えている。この実施の形態においては、テープ３０１の計測開始位置、すなわち、図３において矢印Ｓで示した０（ゼロ）の目盛りがふってある位置をメジャー３００の測定起点部Ｓ（メジャー３００におけるテープ３０１の測定起点部Ｓ）とする。
【００２５】
メジャー３００の測定起点部Ｓは、メジャー３００の測定起点部Ｓ側の端部（巻回方のメジャーであれば巻き終わり部分）を針金１２１に結びつけることによって固定する。このとき、メジャー３００の測定起点部Ｓが測量用ポールの軸心上に位置するように、メジャーを針金１２１に結びつける。測量補助装置１００は、メジャー３００の測定起点部Ｓが測量用ポールの軸心上に位置するように、測量用ポールの軸心位置を示す記号やマークなどが設けられていてもよい。測量用ポールの軸心位置を示す記号やマークについては図示を省略する。
【００２６】
メジャーを針金１２１に結びつけることによってメジャー３００の測定起点部Ｓを固定しているため、後述する測量作業に際しては針金１２１に対して引っ張り力が作用する。この実施の形態によれば、取付基台部１１０の外周面と穴部２０４との境界位置で針金１２１を屈曲することにより、針金１２１に対して引っ張り力が作用した場合にも、針金１２１が支持部２０２に引っかかり、針金１２１が支持部２０２から抜けてしまうことを簡易な構成によって防止することができる。
【００２７】
また、この実施の形態において、針金１２１は、取付基台部１１０の他端側において屈曲されており、これによって外観上は略矩形状とされている。なお、針金１２１の形状は矩形状に限らず、たとえば取付基台部１１０の外周面と穴部２０４との境界位置でのみ屈曲し、その間を湾曲することによって、略Ｕ字形状の外観をなすようにしてもよい。
【００２８】
メジャー支持部１２０は、針金１２１および針金１２１に取り付けたクリップによって構成してもよい。この場合のクリップは、クリップと針金１２１とが離反する方向にクリップを引っ張る力が作用した場合にも、クリップが針金１２１から脱離しない程度の強度を持って針金１２１に取り付ける。クリップと針金１２１とは、たとえば接着剤を用いて固定する。クリップと針金１２１とによって構成されるメジャー支持部１２０についての説明は省略する。
【００２９】
また、メジャー支持部１２０は、針金１２１に代えて、取付基台部１１０に直接クリップを取り付けることによって構成してもよい。この場合のクリップは、クリップと取付基台部１１０とが離反する方向にクリップを引っ張る力が作用した場合にも、クリップが取付基台部１１０から脱離しない程度の強度を持って取付基台部１１０に取り付ける。クリップと針金１２１とは、たとえば接着剤やネジなどを用いて固定する。取付基台部１１０に直接クリップを取り付けることによって構成されるメジャー支持部１２０についての説明は省略する。
【００３０】
また、メジャー支持部１２０は、針金１２１に代えて、取付基台部１１０から突出する突起形状からなるものであってもよい。この場合、起点部固定用の孔が設けられたメジャー３００を用いる。メジャー支持部１２０をこのような形状とする場合は、具体的には、たとえば、メジャーの起点部側の端部（巻回方のメジャーであれば巻き終わり部分）に、略Ｄ字形状の金具（図３を参照）が取り付けられているメジャーを用いた測量に有効である。さらに、この場合は、略Ｄ字形状の金具の直近から目盛りがふられているメジャーを用いた測量において特に有効である。
【００３１】
このようなメジャーを用いた場合、取付基台部１１０から突出する突起に、メジャーに設けられた金具を嵌め込むことによってメジャー３００の測定起点部Ｓを固定することができる。取付基台部１１０から突出する突起形状からなるメジャー支持部１２０についての説明は省略する。
【００３２】
つぎに、この発明の実施の形態の測量補助装置１００を用いた測量方法について説明する。図４および図５は、この発明の実施の形態の測量補助装置１００を用いた測量方法を示す説明図である。図４においては、斜面地を含む地表上の任意の測量起点位置および測量終点位置間の水平距離を測定する測量方法について説明する。
【００３３】
図４において、測量に際しては、まず、測量起点位置４１０および測量終点位置４２０に測量用ポールＰを設置する。測量起点位置４１０は距離の測定対象とする２つの境界杭４００のうちの一方の境界杭４００とし、測量終点位置４２０は距離の測定対象とする２つの境界杭４００のうちの他方の境界杭４００とすることができる。そして、測量起点位置４１０に設置された測量用ポールＰの先端に、測量補助装置１００を取り付ける。
【００３４】
図５においては、測量用ポールＰの先端に、測量補助装置１００を取り付けた状態を示している。ここでは、取付基台部１１０の開口２０３を介して取付基台部１１０を測量用ポールＰの先端に被せることによって、測量補助装置１００を取り付けた状態を示している。
【００３５】
キャップ部２０１の他端側は、支持部２０２によって塞がれているため、作業者はキャップ部２０１が測量用ポールＰに突き当たるまでキャップ部２０１を測量用ポールＰの先端に押し付けることで測量補助装置１００を毎回の測量において同じ状態で取り付けることができる。
【００３６】
つぎに、測量用ポールＰの先端に取り付けた測量補助装置１００に、メジャー３００の測定起点部Ｓを固定する。測量補助装置１００に、測量用ポールＰの軸心位置を示す記号やマークなどが設けられている場合には、メジャー３００の測定起点部Ｓが記号やマークなどの位置と一致するようにして針金１２１にメジャー３００の測定起点部Ｓを結びつける。
【００３７】
ここで、メジャー支持部１２０が、取付基台部１１０に直接クリップを取り付けることによって構成されている場合は、メジャー３００の測定起点部Ｓをクリップで挟むことによってメジャー３００の測定起点部Ｓを固定する。また、メジャー支持部１２０が、取付基台部１１０から突出する突起形状からなる場合は、メジャー３００の測定起点部Ｓ側の端部（巻回型のメジャー３００であれば巻き終わり部分）に取り付けられた金具を、取付基台部１１０から突出する突起に嵌め込むことによってメジャー３００の測定起点部Ｓを固定する。
【００３８】
つぎに、固定された測定起点部Ｓから測量終点位置４２０に立てられた測量用ポールＰに向かってメジャー３００を引く。このとき、固定された測定起点部Ｓに対してテープ３０１が水平になるようにしてメジャー３００を引く。その後、メジャー３００と測量終点位置４２０に立てられた測量用ポールＰとの交差位置におけるテープ３０１の目盛り値を読み取り、読み取った値を測量起点位置４１０および測量終点位置４２０間の水平距離Ｄとする。
【００３９】
つぎに、従来の測量方法について説明する。図６は、従来の測量方法を示す説明図である。図６においては、斜面地を含む地表上の任意の測量起点位置４１０および測量終点位置４２０間の垂直方向における距離、すなわち測量起点位置４１０および測量終点位置４２０間の高低差がおおよそ１．５ｍ以上ある場合の測量起点位置４１０および測量終点位置４２０間の水平距離を測定する測量方法について説明する。
【００４０】
図６において、従来の測量方法では、測量起点位置４１０および測量終点位置４２０間の高低差がおおよそ１．５ｍ以上ある場合は、２つの境界杭４００間を高低差が１．５ｍを超えない複数の区間ｄ１、ｄ２、ｄ３に分割する。そして、境界杭４００が設けられている位置および各区間ｄ１、ｄ２、ｄ３の境界位置６０１、６０２に測量用ポールＰを設置する。
【００４１】
つぎに、各測量用ポールＰ間の距離を測定する。ここでは、測量起点位置４１０および境界位置６０１に設置された測量用ポールＰ間の区間ｄ１と、境界位置６０１、６０２に設置された測量用ポールＰ間の区間ｄ２と、境界位置６０２および測量終点位置４２０に設置された測量用ポールＰ間の区間ｄ３、の各距離を測定する。距離の測定に際しては、各測量用ポールＰの位置においてメジャー３００のテープ３０１部分を手で押さえることによって固定する。
【００４２】
そして、テープ３０１部分を手で押さえて固定した位置からテープ３０１が水平になるようにしてメジャー３００を引き、テープ３０１部分を手で押さえて固定した位置と各区間ｄ１、ｄ２、ｄ３の反対側にある測量用ポールＰとの交差位置におけるープ３０１の目盛り値を各区間ｄ１、ｄ２、ｄ３の水平距離として得る。このようにしてすべての区間ｄ１、ｄ２、ｄ３の距離を測定した後、すべての測量用ポールＰ間の距離を合計する。これによって、境界杭４００間の距離Ｄを算出する。
【００４３】
このように、従来の計測方法では、測量起点位置４１０および測量終点位置４２０間の高低差がおおよそ１．５ｍ以上ある場合には境界杭４００間を複数（図４においては３つ）の区間に区切り、区間ごとに測定した水平距離ｄ１、ｄ２、ｄ３を合計しなくてはならず計測作業が煩雑であった。
【００４４】
また、従来の計測方法では、テープ３０１部分を手で押さえることによってメジャー３００の測定起点部Ｓを固定することから、計測に際してメジャー３００を引くことによってメジャー３００を押さえた位置がずれやすい。そして、メジャー３００の測定起点部Ｓがずれた状態でテープ３０１の目盛り値を読み取った場合、メジャー３００の測定起点部Ｓのずれが計測精度に悪影響を与え計測精度が低下していた。
【００４５】
さらに、従来の計測方法では、メジャー３００の測定起点部Ｓがずれた状態で複数の区間の距離を計測した場合、測量起点位置４１０および測量終点位置４２０間の距離として算出された値には各区間ｄ１、ｄ２、ｄ３のずれが累積されて含まれることとなり、計測精度が一層低下していた。このため、従来の計測方法における計測精度の信頼性が低下していた。
【００４６】
これに対して、この実施の形態の測量補助装置１００を用いることによりメジャー３００の測定起点部Ｓのずれを防止することができる。これによって、メジャー３００の測定起点部Ｓのずれに起因するすべての計測誤差の発生を防止することができる。
【００４７】
境界杭４００間の水平距離Ｄを精度よく計測することによって、計測した水平距離Ｄを以降の実地調査に際して、境界杭４００の発見に利用することができる。すなわち、上述したこの実施の形態においては、あらかじめ位置が判明している境界杭４００間の水平距離Ｄを計測する場合について説明したが、２つの境界杭４００のうち一方の境界杭４００の位置が不明である場合にも事前に計測した水平距離Ｄが正確なものであれば、もう一方の境界杭４００を容易に発見することができる。
【００４８】
境界杭４００の発見作業に際しては、管理図に基づいて、設置位置が既知である境界杭４００からもう一方の境界杭４００が設置されているとされる方向に向かってメジャーを引き、測定されている水平距離Ｄとなる位置に該当する辺りを探すことでもう一方の境界杭４００を簡単に発見することができる。このように、測定した水平距離Ｄが正確であれば、実地調査に際して位置が不明な境界杭４００があった場合にも、境界杭４００を容易に発見することができ、以降の実地調査にかかる負担を低減することができる。
【００４９】
上述したように、この発明にかかる実施の形態の測量補助装置１００によれば、測量用ポールＰの先端に対して取り外し可能に取り付けられる取付基台部１１０と、取付基台部１１０に設けられてメジャー３００の測定起点部Ｓを取り外し可能に支持するメジャー支持部１２０と、を備え、取付基台部１１０は、測量に際して、メジャー支持部１２０によってメジャー３００の測定起点部Ｓを支持した状態で測量用ポールＰに取り付けられることを特徴とするため、測量作業者がメジャーを手で押さえることなく測量起点位置４１０においてメジャー３００の測定起点部Ｓを容易かつ確実に固定することができ、メジャーを手で押さえる場合よりも高い位置でメジャー３００の測定起点部Ｓを固定することができる。
【００５０】
メジャー３００の測定起点部Ｓを固定する高さは、測量用ポールＰの高さと同等とすることができる。これにより、メジャー３００の測定起点部Ｓを固定する高さと同程度の高低差がある２点間の距離を１回の計測作業で計測することができる。具体的には、たとえば全長３ｍの測量用ポールＰを用いた場合は、２点間の高低差が約３ｍの範囲内となる２点間の距離を１回の計測作業で計測することができる。
【００５１】
これによって、測量用ポールＰの使用頻度および計測回数を減らすことができる。測量用ポールＰの使用頻度が減ることによって、測量に際して持ち運ぶ測量用ポールＰの本数を減らすことができるとともに移動がし易くなるので、計測に際しての測量作業者の負担を軽減するとともに作業性の向上を図ることができる。
【００５２】
また、計測回数が減ることにより作業時間を短縮するとともに、測量に際して持ち運ぶ測量用ポールＰの本数を減らすことにより測量作業にかかわる人員を減らすことができる。敷地内の最高地点と最低地点との高低差が３ｍ以内の敷地を測量する場合であれば、測量用ポールＰを２本持参すればよい。これによって測量作業にかかわる人員を減らすことができるとともに、測量作業にかかわる各作業者の労働力を軽減することができる。
【００５３】
このように、計測に際しての測量作業者の負担を軽減するとともに、メジャー３００の測定起点部Ｓのずれおよび計測回数の低減を図ることができるので、計測作業の簡易化を図るとともに計測精度の向上を図ることができる。すなわち、計測回数が減ることによって、累積される誤差を少なくすることができるので計測精度の向上を図ることができる。
【００５４】
また、計測精度の向上によって、測量をおこなう現地と測量結果を反映した図面（管理図など）との整合性を容易かつ確実に確認することができる。
【００５５】
また、この発明にかかる実施の形態の測量補助装置１００によれば、取付基台部１１０が、測量用ポールＰの先端に被せることが可能なキャップ形状からなることを特徴とするため、測量用ポールＰに対する測量補助装置１００の取り付けや取り外しを容易化することができる。これによって、計測に際しての測量作業者の負担を軽減することができるので、計測作業の簡易化を図ることができる。
【００５６】
また、この発明にかかる実施の形態の測量補助装置１００によれば、メジャー支持部１２０が、針金１２１の両端部を取付基台部１１０に固定した形状からなることを特徴とするため、メジャー支持部１２０を簡易な構成によって実現することができる。これによって、測量補助装置１００製造にかかる作業の簡易化および製造にかかるコストの低減を図ることができる。
【００５７】
また、この発明にかかる実施の形態の測量補助装置１００によれば、メジャー支持部１２０が、取付基台部１１０から突出する突起形状からなり、メジャー３００に設けられた起点部固定用の孔に挿入されることによって測定起点部Ｓを支持することを特徴とするため、メジャーが備えた形状を利用してメジャー３００の測定起点部Ｓを固定するとともに、メジャー支持部１２０を簡易な構成によって実現することができる。これによって、測量補助装置１００の小型化を図り携帯性の向上を図ることができ、測量に際して測量補助装置１００を容易に持ち運ぶことができる。
【００５８】
また、この発明にかかる実施の形態の測量補助装置１００を用いた測量方法によれば、地表上の任意の測量起点位置４１０および測量終点位置４２０間の水平方向における距離を測定する測量方法であって、測量起点位置４１０および測量終点位置４２０に測量用ポールＰを立てる工程と、測量起点位置４１０に立てられた測量用ポールＰの先端に上記の測量補助装置１００を取り付ける工程と、測量補助装置１００が備えたメジャー支持部１２０に、メジャー３００の測定起点部Ｓを固定する工程と、を含み、固定された測定起点部Ｓから測量終点位置４２０に立てられた測量用ポールＰに向かって固定された測定起点部に対して水平にメジャーを引くとともに当該メジャー３００と測量終点位置４２０に立てられた測量用ポールＰとの交差位置におけるメジャー３００の目盛り値を距離とすることを特徴とするため、測量作業者がテープ３０１を手で押さえることなく測量起点位置４１０においてメジャー３００の測定起点部Ｓを容易かつ確実に固定することができ、メジャーを手で押さえる場合よりも高い位置でメジャーを固定することができる。
【００５９】
これによって、計測に際しての測量作業者の負担を軽減するとともに、メジャー３００の測定起点部Ｓのずれおよび計測回数の低減を図ることができるので、計測作業の簡易化を図るとともに計測精度の向上を図ることができる。
【００６０】
以上説明したように、測量補助装置１００および測量補助装置１００を用いた測量方法によれば、計測作業の簡易化を図るとともに計測精度の向上を図ることができる。
【産業上の利用可能性】
【００６１】
以上のように、この発明にかかる測量補助装置１００および測量補助装置１００を用いた測量方法は、地表上の任意の２点間の距離の測定に有用であり、特に、高低差が所定以上となる斜面を含んだ２点間の距離の測定に適している。
【図面の簡単な説明】
【００６２】
【図１】この発明にかかる実施の形態の測量補助装置の外観を示す説明図である。
【図２】図１の測量補助装置のＡ−Ａ断面図である。
【図３】メジャーの一例を示す説明図である。
【図４】この発明の実施の形態の測量補助装置を用いた測量方法を示す説明図（その１）である。
【図５】この発明の実施の形態の測量補助装置を用いた測量方法を示す説明図（その２）である。
【図６】従来の測量方法を示す説明図である。
【符号の説明】
【００６３】
１００  測量補助装置
１１０  取付基台部
１２０  メジャー支持部
１２１  針金
２０１  キャップ部
２０２  支持部
２０３  開口
２０４  穴部
Ｐ  測量用ポール
【図１】
2010043986.tif 000003
【図２】
2010043986.tif 000004
【図３】
2010043986.tif 000005
【図４】
2010043986.tif 000006
【図５】
2010043986.tif 000007
【図６】
2010043986.tif 000008